(57)【要約】【課題】  屋根パネル先端から雨水排水溝までの高低差を大きくしても軒先から雨水が落ちることのない簡易建物の提供。【解決手段】  複数の垂木１，１，…と、桁２と、屋根パネル３とを備え、複数の垂木は、夫々桁上面に載置固定してあり、桁は、上面に雨水排水溝５を有すると共に垂木間にパネル受け部４を有し、パネル受け部は、雨水排水溝よりも後側で且つ垂木下面よりも上方に位置すると共に前側コーナー部に上方に膨出する雨水飛散防止部６を有し、屋根パネルは、先端部をパネル受け部の雨水飛散防止部よりも後側に載置固定してある。【選択図】      図１
2008303654.tif 000002
【特許請求の範囲】
【請求項１】
複数の垂木と、桁と、屋根パネルとを備え、複数の垂木は、夫々桁上面に載置固定してあり、桁は、上面に雨水排水溝を有すると共に垂木間にパネル受け部を有し、パネル受け部は、雨水排水溝よりも後側で且つ垂木下面よりも上方に位置すると共に前側コーナー部に上方に膨出する雨水飛散防止部を有し、屋根パネルは、先端部をパネル受け部の雨水飛散防止部よりも後側に載置固定してあることを特徴とする簡易建物。
【請求項２】
パネル受け部は、桁とは別体に形成したパネル受け部材を垂木間の桁上面に取付けて形成してあることを特徴とする請求項１記載の簡易建物。
【請求項３】
パネル受け部の雨水飛散防止部が上方及び前方に膨出していることを特徴とする請求項１又は２記載の簡易建物。
【発明の詳細な説明】
【技術分野】
【０００１】
本発明は、テラス等の簡易建物に関する。
【背景技術】
【０００２】
従来のテラス等の簡易建物は、図８に示すように、垂木９０の前側の端面を桁９１の後側面に突き当てて連結してあり、桁上面に設けたパネル受け部９２に屋根パネル９３の先端部を保持してあり、桁の前側に屋根パネルからの雨水を受ける雨水排水溝（雨樋）９４を設けている。パネル受け部９２の上面は平坦面となっており、屋根パネル上を流れてきた雨水９５は、パネル受け部９２から前方に飛散し、この雨水を漏れなく受けるために、屋根パネル９３の先端から雨水排水溝９４の幅Ｗを広くとり、且つ雨水排水溝９４の先端を屋根パネル９３の先端と略同じ高さまで立ち上げて、屋根パネル先端から雨水排水溝までの高低差Ｈを極力小さくする必要があった。
【０００３】
特許文献１には、垂木の先端部を桁上に載置したものが記載されている。垂木を桁上面に載置すると、屋根パネルの位置が上に上がるため、それに伴って雨水排水溝（雨樋部２２）を桁の前方により一層大きく張り出させ、且つ桁上面よりも高い位置まで立ち上げなければならず、桁の幅と高さが大きくなり、外観上好ましくない。また、雨水排水溝が屋根パネルの前方に張り出して設けてあることで、積雪地では屋根パネル上を滑る雪が雨水排水溝に引っ掛かり、雨水排水溝が変形したり破損したりすることがあった。
【特許文献１】特開平９−４１５８３号公報
【発明の開示】
【発明が解決しようとする課題】
【０００４】
本発明は以上に述べた実情に鑑み、屋根パネル先端から雨水排水溝までの高低差を大きくしても軒先から雨水が落ちることのない簡易建物の提供を目的とする。
【課題を解決するための手段】
【０００５】
上記の課題を達成するために請求項１記載の発明による簡易建物は、複数の垂木と、桁と、屋根パネルとを備え、複数の垂木は、夫々桁上面に載置固定してあり、桁は、上面に雨水排水溝を有すると共に垂木間にパネル受け部を有し、パネル受け部は、雨水排水溝よりも後側で且つ垂木下面よりも上方に位置すると共に前側コーナー部に上方に膨出する雨水飛散防止部を有し、屋根パネルは、先端部をパネル受け部の雨水飛散防止部よりも後側に載置固定してあることを特徴とする。
【０００６】
請求項２記載の発明による簡易建物は、請求項１記載の発明の構成に加え、パネル受け部は、桁とは別体に形成したパネル受け部材を垂木間の桁上面に取付けて形成してあることを特徴とする。
【０００７】
請求項３記載の発明による簡易建物は、請求項１又は２記載の発明の構成に加え、パネル受け部の雨水飛散防止部が上方及び前方に膨出していることを特徴とする。
【発明の効果】
【０００８】
請求項１記載の発明による簡易建物は、垂木を桁上面に載置固定してあり、桁上面の雨水排水溝よりも後側の垂木間にパネル受け部を有し、パネル受け部に屋根パネルの先端部を載置固定したことで、屋根パネルの先端から雨水排水溝までの高低差が大きくなるが、パネル受け部の前側コーナー部に上方に膨出する雨水飛散防止部を有していることで、屋根パネル上を流れてきた雨水は、雨水飛散防止部の上方への盛り上がりによって流れの勢いが一旦弱められるため、雨水が雨水排水溝を飛び越えて軒先から落ちるのを防止して、雨水をパネル受け部の下方前側に位置する雨水排水溝に落とすことができる。
【０００９】
さらに請求項２記載の発明による簡易建物は、桁とは別体に形成したパネル受け部材を垂木間の桁上面に取付けてパネル受け部を形成したので、パネル受け部材の長さを変えることで垂木間の間隔の変更に容易に対応できる。
【００１０】
さらに請求項３記載の発明による簡易建物は、パネル受け部の雨水飛散防止部が上方及び前方に膨出しているので、屋根パネル上を流れてきた雨水は、雨水飛散防止部の上方への盛り上がりによって流れの勢いが一旦弱められ、そのあと雨水飛散防止部に沿って内側に巻き込むように流れ、雨水排水溝に向かって垂直に落ちるため、雨水をパネル受け部の下方前側に位置する雨水排水溝に確実に誘導することができ、且つ雨水排水溝の幅を狭くすることができる。
【発明を実施するための最良の形態】
【００１１】
以下、本発明の実施の形態を図面に基づいて説明する。図５は、本発明の簡易建物の一実施形態を示す斜視図であり、図２は同簡易建物の縦断面図であり、図３は図２のＡ−Ａ断面図であり、図４は図２のＢ−Ｂ断面図であり、図１は屋根の軒先部を拡大して示す縦断面図である。本簡易建物は、住宅の庭に設置されるテラスであり、図５に示すように、躯体７の前方に左右２本の支柱８，８を立設し、支柱８，８の上端部に連結して桁２が水平に架設してあり、躯体７には垂木掛け９が取付けてあり、垂木掛け９と桁２の間に複数本の垂木１，１，…が左右方向に間隔をおいて配置してあり、垂木１間に屋根パネル３を取付けてある。垂木１と屋根パネル３は、前側に向かうにつれて下降するように傾斜している。
【００１２】
垂木１は、木粉を混ぜた合成樹脂を押出成形してなる人工木材を使用しており、図４に示すように、縦長の略長方形断面の中空状に形成され、中空部内に補強材２７を挿通して設けてあり、先端部に樹脂製のキャップ１０を取付けている。垂木１の後端部は、図２に示すように、垂木掛け９に掛けて下からのネジ１１で固定してある。垂木１の前側は、中間部の下面１ａを桁２の上面に載置し、桁２の上面に後方に突出して形成した垂木載置片１２に下からのネジ１３で固定してあり、さらに垂木１の側面と桁２上面とを連結金具１４で固定している。垂木１の先端は、桁２よりも前方に位置している。このように、長方形断面の比較的背の高い垂木１を桁２上面に載置すると共に、その先端を桁２の前方に突き出すことで、屋根がパーゴラ風の外観となっている。
垂木１の左右の側面には、図４に示すように、長手方向に凹部１５が形成してあり、凹部１５内に埋め込むようにして略Ｌ字形断面のパネル受け１６が側方に張り出して取付けてあり、パネル受け１６上に屋根パネル３の左右の端部を載置し、パネル受け１６の上面にパネル押さえ１７を取付けて屋根パネル３を固定している。屋根パネル３の後端部は、図２に示すように、垂木掛け９の前面に取付けた上下のビード材１８ａ，１８ｂの間に差し込んで保持してある。垂木１間には、前後方向に間隔をあけて中桟１９が複数本取付けてあり、中桟１９で屋根パネル３の中間部を受けている。
【００１３】
桁２は、図１と図２に示すように、アルミの押出形材で形成した桁本体２ａの前後面に化粧カバー２ｂ，２ｃを取付けて構成してある。桁本体２ａの前側には、上方に向けて開放した雨水排水溝５を有している。桁２の左右端部には、樹脂製のキャップ２０を嵌めて雨水排水溝５と桁本体２ａの小口を塞いである。雨水排水溝５には、支柱８に沿って設けた竪樋２１が連結してあり、竪樋２１を通じて雨水排水溝５に溜まった雨水が排水される。
図２と図３に示すように、垂木１間の雨水排水溝５後側の桁２上面には、パネル受け部材４が取付けてある。パネル受け部材４は、図１に示すように、略四角形断面の中空状に形成され、上面にパネル押さえ片２２とゴム等で形成された支持部材２３を有しており、パネル押さえ片２２と支持部材２３の間に屋根パネル３の先端部を差し込んで保持してある。パネル押さえ片２２と前側の壁２４との間の前側コーナー部には、上方及び前方に円弧状に膨出した雨水飛散防止部６が設けてある。パネル受け部材４の前側の壁２４と雨水排水溝５の後側の壁２５とは、連続的な垂直面となっている。
【００１４】
パネル受け部材４の雨水飛散防止部６の作用を図１に即して説明する。図中の矢印は、雨水２６の流れを示しており、屋根パネル３上を流れてきた雨水２６は、雨水飛散防止部６の上方への盛り上がりによって流れの勢いが一旦弱められ、そのあと表面張力により円弧状に膨らんだ雨水飛散防止部６に沿って内側に巻き込むように流れ、下方の雨水排水溝５に向かって垂直に落ちる。このように、雨水飛散防止部６が雨水２６を雨水排水溝５に向けて垂直に落ちるように誘導するので、屋根パネル３の先端から雨水排水溝５までの高低差Ｈが大きくても、雨水２６が雨水排水溝５を飛び越えて桁２の前側から落ちるのを確実に防止でき、尚且つ雨水排水溝５の幅Ｗを狭くすることができ、桁２全体の幅も狭くすることができる。このように雨水排水溝５の幅Ｗを狭くし、且つ屋根パネル３先端より下方に配置できることで、雨水排水溝５が目立たなくなって屋根の軒先部がすっきりした外観となり、また、屋根パネル３上に積もった雪が滑り落ちるときに雨水排水溝５に引っ掛かりにくくなる。
さらに本簡易建物は、屋根パネル３の先端部を受けるパネル受け部を、桁２とは別体に形成したパネル受け部材４を垂木１間の桁上面に取付けて形成したので、例えば本簡易建物を設置する場所の状況に応じて垂木１の間隔を変更しなければならないようなときでも、パネル受け部材４を切断して長さを変えることで容易に対応できる。
【００１５】
本発明は、以上に述べた実施形態に限定されない。垂木や桁の材質、断面形状は、適宜変更することができる。垂木は、先端が桁の前面と同じ位置や、桁の前面よりも後側に位置するようにしてもよい。パネル受け部材の雨水飛散防止部６は、屋根パネル上を流れてきた雨水の勢いを一旦弱めて雨水の飛散を防止できるように形成してあればよく、図６（ａ）に示すように、上方にのみ膨出するＲ状の断面にしたり、図６（ｂ）に示すように、傾斜面が順次内側に折れ曲がりながら連続する多角形状の断面で上方及び前方に膨出する形状とすることもできる。また、桁上面にパネル受け部材４を取付けるのではなく、桁上面にパネル受け部を押出成形により一体成形することもできる。その場合には、垂木１を配置する部分だけパネル受け部を切除する。屋根は、後側を躯体に固定したものに限らず、図７に示すように、屋根の後側も支柱８によって支持し、独立したカーポートやシェルター等とすることもできる。
【図面の簡単な説明】
【００１６】
【図１】屋根の軒先部を拡大して示す縦断面図である。
【図２】本発明の簡易建物の一実施形態を示す縦断面図である。
【図３】図２のＡ−Ａ断面図である。
【図４】図２のＢ−Ｂ断面図である。
【図５】本発明の簡易建物の一実施形態を示す斜視図である。
【図６】パネル受け部材の雨水飛散防止部の他の実施形態を示す縦断面図である。
【図７】本発明の簡易建物の他の実施形態を示す側面図である。
【図８】従来の簡易建物の屋根の軒先部を示す縦断面図である。
【符号の説明】
【００１７】
１  垂木
２  桁
３  屋根パネル
４  パネル受け部材（パネル受け部）
５  雨水排水溝
６  雨水飛散防止部
Ｈ  屋根パネル先端から雨水排水溝までの高低差
Ｗ  雨水排水溝の幅
【図１】
2008303654.tif 000003
【図２】
2008303654.tif 000004
【図３】
2008303654.tif 000005
【図４】
2008303654.tif 000006
【図５】
2008303654.tif 000007
【図６】
2008303654.tif 000008
【図７】
2008303654.tif 000009
【図８】
2008303654.tif 000010